(57)【要約】 【課題】  ポートの数が異なるスイッチに用いる場合であっても、ポートを容易に識別可能にする。【解決手段】  ケーブル用のスイッチの交換時に使用するスイッチ交換補助具１であって、ケーブルＣが抜き差し自在な凹状のケーブル挿入部２１が、前記スイッチに配設されたポートの間隔と同じ間隔で並んで配設されたケーブル保持手段２と、第１のケーブル保持手段２と略平行に配設され、ケーブルＣの先端が抜き差し自在な凹状のケーブル挿入部３１が、前記スイッチに配設されたポートの間隔と同じ間隔で並んで配設された第２のケーブル保持手段３と、第１のケーブル保持手段２のケーブル挿入部２１の上側を狭持した状態で、長手方向に沿ってスライド自在な第１の狭持手段５と、第２のケーブル保持手段３のケーブル挿入部３１の上側を狭持した状態で、長手方向に沿ってスライド自在な第２の狭持手段６と、を備えることを特徴とする。【選択図】  図１
2014135809.tif 000002
【特許請求の範囲】
【請求項１】
ケーブル用のスイッチの交換時に使用するスイッチ交換補助具であって、
前記ケーブルが抜き差し自在な凹状のケーブル挿入部が、前記スイッチに配設されたポートの間隔と同じ間隔で並んで配設された第１のケーブル保持手段と、
前記第１のケーブル保持手段と略平行に配設され、前記ケーブルの先端が抜き差し自在な凹状のケーブル挿入部が、前記スイッチに配設されたポートの間隔と同じ間隔で並んで配設された第２のケーブル保持手段と、
前記第１のケーブル保持手段の前記ケーブル挿入部の上側を狭持した状態で、長手方向に沿ってスライド自在な第１の狭持手段と、
前記第２のケーブル保持手段の前記ケーブル挿入部の上側を狭持した状態で、長手方向に沿ってスライド自在な第２の狭持手段と、
を備えることを特徴とするスイッチ交換補助具。
【請求項２】
前記第１のケーブル保持手段および第２のケーブル保持手段の長手方向の端部と略直交する方向に延びて、前記スイッチの端部と当接可能に配設された長尺体で構成された位置合わせ手段、
を備えることを特徴とする請求項１に記載のスイッチ交換補助具。
【発明の詳細な説明】
【技術分野】
【０００１】
この発明は、ケーブル用のスイッチの交換時に使用するスイッチ交換補助具に関する。
【背景技術】
【０００２】
ケーブルの配線には、例えば、スイッチングハブやレイヤ３スイッチを含むスイッチが使用されている。スイッチには、多数のポートが配設されており、ケーブルを所定のポートに接続するようになっている。スイッチが故障したり、ポートを増設したりするためにスイッチを交換する際は、交換対象のスイッチ（交換対象スイッチ）のポートに接続された多数のケーブルを、新しいスイッチ（交換スイッチ）の対応するポートへそれぞれ正確に接続する必要がある。その際には、ケーブルやポートを誤認しないように、ケーブルやポートにマーキングをして挿し間違いを防止している。そのため、ケーブル数やポート数が多くなるとマーキング作業に手間と時間を要し、さらに、スイッチの交換作業終了後にはマーキングを外す作業に手間と時間を要していた。
【０００３】
ところで、配線ケーブルの取り外し及び取り付け作業を、簡易にかつ効率良く行うことが可能な作業用ボードに関する技術が知られている（例えば、特許文献１参照。）。この技術は、配線ケーブルの先端に設けられたコネクタを挿入して仮置きするための複数の貫通孔等を備え、これらの貫通孔等の近傍に、配線ケーブルの取り外し及び取り付け作業の際に目印となる識別子が設けられているものである。そして、作業者は、テレビジョン受信機の端子名称と、作業用ボードに表示された識別子とを目印に、配線ケーブルの取り外し及び取り付け作業を行うようになっている。
【先行技術文献】
【特許文献】
【０００４】
【特許文献１】実用新案登録第３１３０８３０号公報
【発明の概要】
【発明が解決しようとする課題】
【０００５】
しかしながら、特許文献１に記載された技術では、作業用ボードに貫通孔があらかじめ配設されている。このため、作業対象のテレビジョン受信機のコネクタの数と作業用ボードに貫通孔の数や配置が異なる場合は、コネクタを識別するために、端子名称を確認する必要がある。このように端子名称を付す作業が必要になるので、マーキング作業に手間と時間を要してしまう。また、端子名称によってコネクタを識別するため、識別に時間を要し、読み間違いや誤認を生じるおそれがある。
【０００６】
そこで、この発明は、前記の課題を解決し、ポートの数が異なるスイッチに用いる場合であっても、ポートを容易に識別可能なスイッチ交換補助具を提供することを目的としている。
【課題を解決するための手段】
【０００７】
前記の課題を解決するために、請求項１に記載の発明は、ケーブル用のスイッチの交換時に使用するスイッチ交換補助具であって、前記ケーブルが抜き差し自在な凹状のケーブル挿入部が、前記スイッチに配設されたポートの間隔と同じ間隔で並んで配設された第１のケーブル保持手段と、前記第１のケーブル保持手段と略平行に配設され、前記ケーブルの先端が抜き差し自在な凹状のケーブル挿入部が、前記スイッチに配設されたポートの間隔と同じ間隔で並んで配設された第２のケーブル保持手段と、前記第１のケーブル保持手段の前記ケーブル挿入部の上側を狭持した状態で、長手方向に沿ってスライド自在な第１の狭持手段と、前記第２のケーブル保持手段の前記ケーブル挿入部の上側を狭持した状態で、長手方向に沿ってスライド自在な第２の狭持手段と、を備えることを特徴とするスイッチ交換補助具である。
【０００８】
この発明によれば、第１のケーブル保持手段または第２のケーブル保持手段のケーブル挿入部にケーブルを挿入した状態で、第１の狭持手段または第２の狭持手段を長手方向に沿ってスライドさせることによって、ケーブル挿入部の上側が狭持される。
【０００９】
請求項２に記載の発明は、請求項１に記載のスイッチ交換補助具において、前記第１のケーブル保持手段および第２のケーブル保持手段の長手方向と略直交する方向に延びて、前記スイッチの端部と当接可能に配設された長尺体で構成された位置合わせ手段、を備えることを特徴とする。
【発明の効果】
【００１０】
請求項１に記載の発明によれば、ケーブル挿入部が、スイッチに配設されたポートの間隔と同じ間隔で並んで配設されているので、スイッチのポートとスイッチ交換補助具のケーブル挿入部とを対応する配置にすることにより、ケーブルの接続位置の正否を視覚的に容易に判断することが可能である。つまり、ケーブルの取り外し時や、接続時は、ケーブルやポートにマーキングを付したりせずに、対応する位置に配設されているスイッチのポートとケーブル挿入部とで、ケーブルを抜き差しすればよい。このため、正しい位置の確認が容易になり、スイッチ交換作業に要する手間と時間とを削減できる。また、ケーブルを接続するポートの位置を確認することが容易になり、接続間違いを防止することができるので、交換作業を正確かつ迅速に行うことができる。
【００１１】
また、ケーブル保持手段のケーブル挿入部にケーブルを挿入した状態で、狭持手段を長手方向に沿ってスライドさせるだけで、ケーブル挿入部の上側を狭持可能である。すなわち、ケーブル挿入部に挿入したケーブルが、抜け落ちることを防止可能である。
【００１２】
さらに、ケーブル挿入部に挿入したケーブルは、狭持手段をスライドさせることによって、容易に取り外すことができる。
【００１３】
請求項２に記載の発明によれば、スイッチ交換補助具をスイッチの上側または下側に配設する際に、位置合わせ手段を、スイッチの端部（側面）に沿わせて位置を合わせることができる。すなわち、スイッチとスイッチ交換補助具とを一方の側面側で位置を合わせることにより、スイッチのポートと、ケーブル挿入部とが対応するように配設することができる。これにより、交換対象スイッチのポートとケーブル挿入部とを、対応する配置にすることが容易にできる。このため、位置の確認が容易かつ正確になり、スイッチ交換作業に要する手間と時間とをより削減できる。また、ケーブルを接続するポートの位置を確認することがより容易になり、接続間違いを確実に防止することができる。
【図面の簡単な説明】
【００１４】
【図１】この発明の実施の形態に係るスイッチ交換補助具を示す正面図である。
【図２】図１のスイッチ交換補助具の第１の狭持手段および第２の狭持手段を取り外した状態を示す正面図である。
【図３】図１のスイッチ交換補助具を示す底面図である。
【図４】図１のスイッチ交換補助具を示す右側面図である。
【図５】図７におけるスイッチ交換補助具のケーブル挿入部の拡大図である。
【図６】図１のスイッチ交換補助具の第１の狭持手段を示す正面図である。
【図７】図５のスイッチ交換補助具の第１の狭持手段の右側面を拡大して示す拡大図である。
【図８】図１のスイッチ交換補助具を使用したスイッチ交換作業において、ケーブルをケーブル挿入部に挿入して第１の狭持手段および第２の狭持手段によって狭持する状態を示す正面図である。
【図９】図１のスイッチ交換補助具を使用したスイッチ交換作業を示す斜視図である。
【発明を実施するための形態】
【００１５】
つぎに、この発明の実施の形態について図面を用いて詳しく説明する。
【００１６】
図１ないし図９は、この発明の実施の形態を示している。スイッチ交換補助具１は、ケーブル用のスイッチの交換時に使用するものであり、図１に示すように、主として、第１のケーブル保持手段２と、第２のケーブル保持手段３と、位置合わせ手段としてのガイド板４と、第１の狭持手段としての第１のスライダ５と、第２の狭持手段としての第２のスライダ６と、吊下げ具７、８とを備えている。
【００１７】
この実施の形態においては、図９に示すように、ラック３００に取り付けられている交換対象スイッチ１００の故障に伴い、交換スイッチ２００に交換するものとする。このとき、交換スイッチ２００は、交換対象スイッチ１００を取り外した場所に取り付けるものとする。
【００１８】
ここで、交換対象スイッチ１００は、ケーブルＣの配線に用いられるものであり、具体的には例えば、スイッチングハブやレイヤ３スイッチを含むスイッチであり、図９に示すように、ラック３００に固定されている。この実施の形態においては、図１に示すように、交換対象スイッチ１００には、複数のポート１０１１〜１０１ｉ、１０２１〜１０２ｉが配設されている。
【００１９】
交換スイッチ２００は、交換対象スイッチ１００と交換して設置されるスイッチであり、交換対象スイッチ１００と同等の構成であるため、対応する符号を付すことにより説明を省略する。
【００２０】
第１のケーブル保持手段２は、図１ないし図４に示すように、交換対象スイッチ１００の幅と同程度の長さで可橈性を有する薄板で構成され、図１および図２に示すように、ケーブルＣの先端、すなわち、コネクタＣａが抜き差し自在なケーブル挿入部２１が、交換対象スイッチ１００に配設されたポート１０１、１０２の間隔と同じ間隔で並んで配設されているものである。ケーブル挿入部２１の間隔は、ポート１０１、１０２の間隔と同じ大きさに設定されている。また、図５に示すように、ケーブル挿入部２１の内周は、コネクタＣａの外周よりもわずかに小に設定されている。ケーブル挿入部２１にコネクタＣａを抜き差しする際は、第１のケーブル保持手段２が可撓性を有するためケーブル挿入部２１が変形して、コネクタＣａが抜き差し自在となる。
【００２１】
第２のケーブル保持手段３は、第１のケーブル保持手段２と略平行に配設されている。この第２のケーブル保持手段３は、第１のケーブル保持手段２と同等に構成されているため、対応する符号を付すことにより説明を省略する。
【００２２】
ガイド板４は、第１のケーブル保持手段２および第２のケーブル保持手段３の長手方向と略直交する方向に延びて、スイッチの端部と当接可能に配設された長尺体で構成されたものである。このガイド板４は、図４に示すような長方形状の板状で、図１ないし図４に示すように、奥行き方向に幅を有し、垂直方向に高さを有するように配設されている。図３に示すように、第１のケーブル保持手段２と、第２のケーブル保持手段３とが、ガイド板４に対して垂直に配設されている。具体的には、図３、図４に示すように、ガイド板４の左側面の下端部に第２のケーブル保持手段３が配設され、その上側に所定の間隔を空けて第１のケーブル保持手段２が配設されている。ガイド板４は、左側面を交換対象スイッチ１００の右側面に沿わせることにより、位置合わせができるようになっており、交換対象スイッチ１００のポート１０１、１０２と、ケーブル挿入部２１、３１とが上下に対応して配設される。
【００２３】
スライダ５は、図６、図７に示すように、ケーブル保持手段２、３と略同等の長さの薄板材５１を幅方向の略中央部５１ａで長手方向に沿って折り曲げて、断面形状が逆Ｕ字型となるように形成されている。スライダ５の開口部５ａの幅ｄは、ケーブル保持手段２、３の厚さよりもわずかに小に設定されている。例えば、スライダ５を、図８に示すように、ケーブル保持手段２の長手方向の一端部側から、長手方向に沿って矢印方向にスライドさせることによって、脱着が自在となっている。これにより、図８に示すように、スライダ５によってケーブル保持手段２を挟持すると、スライダ５と、ケーブル挿入部２１とによって形成される空間が、ケーブルＣのコネクタＣａの外周よりもわずかに小となるように設定されているため、ケーブル保持手段２によってコネクタＣａを挟持することができるようになっている。
【００２４】
スライダ６は、スライダ５と同等に構成されているため、対応する符号を付すことにより説明を省略する。
【００２５】
吊下げ具７は、図１に示すように、可撓性と剛性を備えた針金を鉤状に加工して形成されており、第１のケーブル保持手段２の長手方向の他端部側から長手方向（水平方向）に延びるように配設されている。吊下げ具７は、交換対象スイッチ１００が取り付けられたラック３００の係止孔３０１に自由端側を挿通することにより、スイッチ交換補助具１をラック３００に取り付けることが可能となっている。これにより、スイッチ交換補助具１をラック内の交換対象スイッチ１００の近傍に固定した状態で交換作業ができるようになっている。また、吊下げ具７は２つの曲げ部を有する鉤状であるため、係止孔３０１から抜け落ちにくくなっている。
【００２６】
吊下げ具８は、吊下げ具７と同等に構成されているため、対応する符号を付すことにより説明を省略する。この吊下げ具８は、吊下げ具７と対向するように、第１のケーブル保持手段２の他端部側に配設されている。
【００２７】
つづいて、スイッチ交換補助具１を用いたスイッチの交換方法について説明する。ここでは、交換対象スイッチ１００が故障し、同等の構成を有する交換スイッチ２００に交換する場合について説明する。このとき、図１に示すように、交換対象スイッチ１００には、ポート１０２４、１０２５、１０２９、１０２１０、１０１１１、１０１１２に、ケーブルＣ１〜Ｃ６が接続されているものとする。
【００２８】
まず、図９に示すように、交換対象スイッチ１００が配設されたラック３００に、スイッチ交換補助具１が吊下げ具７、８を介して交換対象スイッチ１００の下方に固定される。このとき、スイッチ交換補助具１のガイド板４を、交換対象スイッチ１００の側面に沿わせて位置合わせされて、ポート１０１、１０２と、ケーブル挿入部２１、３１とが対応するように配設される。また、スイッチ交換補助具１のスライダ５、６は、取り外されている。
【００２９】
そして、交換対象スイッチ１００のポート１０２４、１０２５、１０２９、１０２１０、１０１１１、１０１１２に接続されたケーブルＣ１〜Ｃ６が順番に取り外されて、スイッチ交換補助具１のケーブル挿入部３１４、３１６、３１１１、３１１２、２１１４、２１１５に取り付けられる。具体的には例えば、まず、ポート１０２４からケーブルＣ１が取り外されて、ポート１０２４と対応する、すなわち、ポート１０２４の真下に位置するケーブル挿入部３１４に差し込まれる。このとき、作業者によって、片手でポート１０２４からケーブルＣ１が取り外されて、ケーブルＣ１を狭持した片手をまっすぐ下方に移動させて、ポート１０２４と対応した位置のケーブル挿入部３１４にケーブルＣ１が挿入される。このとき、ケーブルＣ１が押し込まれると、ケーブル挿入部３１４は変形してケーブルＣ１を狭持する。
【００３０】
つぎに、ポート１０２５からケーブルＣ２が取り外されて、ポート１０２５と対応する、すなわち、ポート１０２５の真下に位置するケーブル挿入部３１６に差し込まれる。このとき、作業者によって、片手でポート１０２５からケーブルＣ２が取り外されて、ケーブルＣ２を狭持した片手をまっすぐ下方に移動させて、ポート１０２５と対応した位置のケーブル挿入部３１６にケーブルＣ２が挿入される。この作業が残りのケーブルＣ３〜Ｃ６についても繰り返される。
【００３１】
そして、すべてのケーブルＣ１〜Ｃ６が交換対象スイッチ１００からスイッチ交換補助具１に付け替えられると、スライダ５、６によって、ケーブル保持手段２、３が挟持されて、ケーブルＣ１〜Ｃ６のコネクタＣａが挟持される。
【００３２】
そして、交換対象スイッチ１００がラック３００から取り外されて、ラック３００の交換対象スイッチ１００が固定されていた場所に、交換スイッチ２００が固定される。このとき、スイッチ交換補助具１のガイド板４に、交換スイッチ２００の側面を沿わせて位置合わせされて、交換スイッチ２００が固定される。これにより、ポート２０１、２０２と、ケーブル挿入部２１、３１とが対応するように配設される。また、スイッチ交換補助具１のケーブル保持手段２、３からスライダ５、６が取り外される。
【００３３】
そして、スイッチ交換補助具１のケーブル挿入部３１４、３１６、３１１１、３１１２、２１１４、２１１５に挿入されたケーブルＣ１〜Ｃ６が順番に取り外されて、交換スイッチ２００のポート２０２４、２０２５、２０２９、２０２１０、２０１１１、２０１１２にケーブルＣ１〜Ｃ６が接続される。具体的には例えば、まず、ケーブル挿入部３１４からケーブルＣ１が取り外されて、ケーブル挿入部３１４と対応する、すなわち、真上に位置するポート２０２４に差し込まれる。このとき、作業者の片手でケーブル挿入部３１４からケーブルＣ１が取り外されて、ケーブルＣ１を狭持した片手をまっすぐ上方に移動させて、そのケーブル挿入部３１４と対応した位置のポート２０２４にケーブルＣ１が接続される。
【００３４】
つぎに、ケーブル挿入部３１６からケーブルＣ２が取り外されて、ケーブル挿入部３１６と対応する、すなわち、ケーブル挿入部３１６の真上に位置するポート２０２５に差し込まれる。このとき、作業者によって、片手でケーブル挿入部３１６からケーブルＣ２が取り外されて、ケーブルＣ２を狭持した片手をまっすぐ下方に移動させて、ケーブル挿入部３１６と対応した位置のポート２０２５にケーブルＣ２が挿入される。この作業が残りのケーブルＣ３〜Ｃ６について繰り返される。
【００３５】
そして、すべてのケーブルＣ１〜Ｃ６が、スイッチ交換補助具１から交換スイッチ２００のポート２０１、２０２に付け替えられると、スイッチ交換補助具１がラック３００から取り外される。
【００３６】
このようにして、ケーブルＣの取り外し時や、接続時は、交換対象スイッチ１００のポート１０１、１０２と対応した対応する位置、すなわち、真上や真下に位置するケーブル挿入部２１、３１にケーブルＣを抜き差しすればよいので、正しい位置の確認が容易になる。
【００３７】
以上のように、このスイッチ交換補助具１によれば、ケーブル挿入部２１、３１が、スイッチ１００、２００に配設されたポート１０１、１０２、２０１、２０２の間隔と同じ間隔で並んで配設されている。このため、ポート１０１、１０２、２０１、２０２とケーブル挿入部２１、３１とを対応する配置にすることにより、ケーブルＣの接続位置の正否を視覚的に容易に判断することが可能である。つまり、ケーブルＣの取り外し時や、接続時は、ケーブルＣやポート１０１、１０２、２０１、２０２にマーキングを付したりせずに、対応する位置に配設されているケーブル挿入部２１、３１やポート１０１、１０２、２０１、２０２にケーブルＣを抜き差しすればよい。このため、正しい位置の確認が容易になり、スイッチ交換作業に要する手間と時間とを削減できる。また、ケーブルＣを接続するポート１０１、１０２、２０１、２０２の位置を確認することが容易になり、接続間違いを防止することができるので、交換作業を正確かつ迅速に行うことができる。
【００３８】
また、スイッチ交換補助具１をスイッチ１００、２００の上側または下側に配設する際に、ガイド板４を、スイッチ１００、２００の側面に沿わせて位置を合わせることができる。すなわち、スイッチ１００、２００とスイッチ交換補助具１とを一方の側面側で位置を合わせることにより、ポート１０１、１０２、２０１、２０２と、ケーブル挿入部２１、３１とが対応するように配設することができる。これにより、ポート１０１、１０２、２０１、２０２とケーブル挿入部２１、３１とを、対応する配置にすることが容易にできる。このため、位置の確認が容易かつ正確になり、スイッチ交換作業に要する手間と時間とをより削減できる。また、ケーブルＣを接続するポート１０１、１０２、２０１、２０２の位置を確認することがより容易になり、接続間違いを確実に防止することができる。
【００３９】
さらに、ケーブル保持手段２、３のケーブル挿入部２１、３１にケーブルＣのコネクタＣａを挿入した状態で、スライダ５、６を長手方向に沿ってスライドさせるだけで、ケーブル挿入部２１、３１の上側を狭持可能である。すなわち、ケーブル挿入部２１、３１に挿入したケーブルＣのコネクタＣａが、抜け落ちることを防止可能である。
【００４０】
さらにまた、ケーブル保持手段２、３のケーブル挿入部２１、３１に挿入したケーブルＣのコネクタＣａは、スライダ５、６をスライドさせることによって、容易に取り外すことができる。
【００４１】
以上、この発明の実施の形態について説明したが、具体的な構成は、これらの実施の形態に限られるものではなく、この発明の要旨を逸脱しない範囲の設計の変更等があっても、この発明に含まれる。例えば、スイッチ１００に上下２段のポート１０１、１０２が配設されている場合について説明したが、ポートが３段以上ある場合であっても適用することが可能である。この場合は、スイッチ交換補助具のケーブル保持手段をポートの段数に合わせて配設すればよい。具体的には例えば、ガイド板４にケーブル保持手段の側面を差し込み可能なガイド溝を形成し、ポートの段数に合わせた数のケーブル保持手段を配設できるようにしてもよい。
【００４２】
また、交換対象スイッチ１００を交換スイッチ２００と交換する場合について説明したが、ポートを増設するためにポート数の異なるスイッチと交換する場合であっても使用可能である。この場合は、例えば、交換対象スイッチのポートに接続されたケーブルを取り外して、交換スイッチのポートと対応した位置のケーブル挿入部にケーブルを接続する。そして、交換対象スイッチをラックから取り外し、交換スイッチをラックに固定した後、ケーブル挿入部に挿入されたケーブルを取り外して、ケーブル挿入部と対応した位置の交換スイッチのポートにケーブルを接続する。このようにして、ポートを増設するためにポート数の異なるスイッチと交換する場合であっても使用可能である。
【００４３】
さらに、スイッチ交換補助具は、使用するスイッチのポートの間隔に合わせて、異なる間隔でケーブル挿入部が配設されたものを用意しておき、交換作業時に交換対象スイッチや交換スイッチのポートと略同等のピッチでーブル挿入部が配設されているスイッチ交換補助具を選んで使用することができる。
【００４４】
さらにまた、ケーブル保持手段２、３は、薄板で構成されるものとして説明したが、例えば、剛性を有する針金などの線状体を、図２に示すような形状に加工したものであってもよい。これにより、ケーブル保持手段を軽量化することができる。
【符号の説明】
【００４５】
１              スイッチ交換補助具
２              第１のケーブル保持手段
２１            ケーブル挿入部
３              第２のケーブル保持手段
３１            ケーブル挿入部
４              ガイド板（位置合わせ手段）
５              第１のスライダ（第１の狭持手段）
６              第２のスライダ（第２の狭持手段）
７              吊下げ具
８              吊下げ具
１００          交換対象スイッチ
１０１          ポート
２００          交換スイッチ
２０１          ポート
Ｃ              ケーブル
【図１】
2014135809.tif 000003
【図２】
2014135809.tif 000004
【図３】
2014135809.tif 000005
【図４】
2014135809.tif 000006
【図５】
2014135809.tif 000007
【図６】
2014135809.tif 000008
【図７】
2014135809.tif 000009
【図８】
2014135809.tif 000010
【図９】
2014135809.tif 000011